(57)【要約】      （修正有）【課題】家庭用でありながらグラスにビール（液体）を注げるとともに、その上位にビールから変換した泡を載せることができ、さらに、缶上面をキャップ体で密封するための構造を単純化できるビールサーバーを提供する。【解決手段】ビール缶７の上面の開口からビール抜き取り用チューブを挿入するビールサーバー１において、チューブは、ビール缶上面をキャップ体１１で密封した状態で、開口から吹き込んだ空気圧によりビールを押し出すチューブと、泡変換器によりビールを泡に変換して押し出すチューブとを備えたことを特徴とし、ビール缶から汲み出したビールを一つの口１５”からグラスに注ぎ、同じ缶から取り出したビールを泡に変えて他の口１５”からビール上に注げるようにし、家庭用でありながらプロ仕様の雰囲気が演出できるようにした。【選択図】図１
2015113166.tif 000002
【特許請求の範囲】
【請求項１】
ビール缶の上面の開口からビール汲み出し用チューブを挿入するビールサーバーにおいて、該チューブは、ビール缶上面をキャップ体で密封した状態で前記開口から吹き込んだ空気圧によりビールを押し出すチューブと、泡変換器によりビールを泡に変換して押し出すチューブとを備えていることを特徴とするビールサーバー。
【請求項２】
前記チューブが、吸い込み端及び流出端をそれぞれ有する２本からなり、その一方に泡変換器を備えていることを特徴とする請求項１に記載のビールサーバー。
【請求項３】
前記チューブが、一つの吸い込み端を有し、途中より分岐して２本になり、その一方に泡変換器を備えていることを特徴とする請求項１に記載のビールサーバー。
【請求項４】
前記缶上面をキャップ体で密封した状態が、前記ビール缶の下側に差し入れて高さを揃え、高さ調整手段を有するアタッチメント部材によりなされることを特徴とする請求項１〜３のうちの１に記載のビールサーバー。
【発明の詳細な説明】
【技術分野】
【０００１】
本発明は、ビール缶から吸い込んだビールを一つの口からグラスに注ぎ、同じ缶から吸い込んだビールを泡に変えて他の口から、ビール上に載せられるようにしたビールサーバーに関するものである。
【背景技術】
【０００２】
市販の缶ビールは、プルトップ蓋を開け、その開口部に直に口をつけ缶を傾けつつ飲むことを好む人もいるが、グラスに注いで大きな口から飲んだ方がダイナミックに一気に飲め、喉越しの良さや爽快感も得られる点で好ましいと考えている人も多い。最近、家庭においても、ビールサーバーが用いられ、ビール缶からビールをグラスに注ぐようにした器具がある。例えば、特開２０１２−２４０６８２号公報に示されたものがある。
【０００３】
上記器具は、図５の如く、本体５１に設けた台盤５２の上に、プルトップ蓋を開けて開口したビール缶５３を置き、その台盤５２の上方にある頭部筐体５４の下面から垂下したビール汲み出し用チューブ５５をビール缶５３の開口より挿入する。しかる後、前記頭部筐体５４の頂面に設けたレバー５６を操作するとともに、モータ（図示せず）を作動させてキャップ体５７をジャバラ筒５７′を伸長させつつ下降させて前記ビール缶５３の上面を密封する。次いで空気ポンプ５８が作動してノズル５９より前記ジャバラ筒５７′を介してビール缶５３内に空気を吹き込み、その空気圧によりビールを前記チューブ５５に汲み出して、前記頭部筐体５４の後ろ側に下向きに突出した流出端５５′より本体５１のグラス台６０上に予めセットされているグラス６１内に注がれるようになっている。
【特許文献１】特開２０１２−２４０６８２号公報
【発明の開示】
【発明が解決しようとする課題】
【０００４】
しかしながら、上記特許文献１のものは、本体５１のグラス台６０上にセットされているグラス６１内へはビール（液体）が注がれ、その注ぎ時にビール内に泡が生じてグラス６１の上位に溜まることがあったが、ビールを泡に変換してグラスに注いだビールの上位を泡で飾るということはできなかった。また、上記特許文献１のものは、ビール缶の上面を密封するキャップ体は、常態では頭部筐体側にあって下降させてビール缶の上面を密封することとなっていたため構造が複雑化したばかりでなく、３５０ミリ用ビール缶と５００ミリ用ビール缶の両方をカバーするためにジャバラ筒が必須であって構造が一層複雑化していた。
【０００５】
本発明は、上記問題を解消するためのもので、その目的とするところは、家庭用でありながらグラスにビール（液体）を注げるとともに、その上位にビールから変換した泡を載せることができ、さらに、缶上面をキャップ体で密封するための構造を単純化できるビールサーバーを提供することにある。
【０００６】
上記目的を達成するため、本発明は、ビール缶の上面の開口からビール汲み出し用チューブを挿入するビールサーバーにおいて、該チューブは、ビール缶上面をキャップ体で密封した状態で前記開口から吹き込んだ空気圧によりビールを押し出すチューブと、泡変換器によりビールを泡に変換して押し出すチューブとを備えていることを特徴とし、家庭用でありながらビールの注ぎ口と、泡の注ぎ口とを持ち、ビール缶の上面の密封構造を単純化できるように構成した。
【０００７】
また、請求項２に記載の発明は、前記チューブが、吸い込み端及び流出端をそれぞれ有する２本からなり、その一方に泡変換器を備えていることを特徴とし、チューブを最初から２本立てにしてビールの注ぎ口と、泡の注ぎ口とが別個になるように構成した。
【０００８】
さらに、請求項３に記載の発明は、前記チューブが、一つの吸い込み端を有し、途中より分岐して２本になり、その一方に泡変換器を備えていることを特徴とし、分岐によりビール注ぎ口と、泡の注ぎ口とが別個になるように構成した。
【０００９】
さらにまた、請求項４に記載の発明は、前記缶上面をキャップ体で密封した状態が、前記ビール缶の下側に差し入れて高さを揃え、高さ調整手段を有するアタッチメント部材によりなされることを特徴とし、３５０ミリ用ビール缶と５００ミリ用ビール缶の両方がジャバラ筒を用いることなく適用でき、ビールサーバー自体を単純化できるように構成した。
【発明の効果】
【００１０】
本発明によれば、家庭用のビールサーバーでありながらビールの注ぎ口と、該ビールを泡に変えてビールの上を飾ることができ、しかも、ビールサーバー自体の単純化が期待できるという優れた効果を奏するものである。
【００１１】
また、請求項２に記載の発明によれば、ビールの注ぎ口と、泡の注ぎ口となる２つの口が別個のチューブにより２本立てになっているから、プロ仕様の雰囲気が家庭において演出できるという優れた効果を奏するものである。
【００１２】
さらに、請求項３に記載の発明によれば、ビールの注ぎ口と、泡の注ぎ口となる２つの口が一本のチューブの流出端側に分岐して設けられているので、プロ仕様の雰囲気の演出が安価にしてコンパクトに形成できるという優れた効果を奏するものである。
【００１３】
さらにまた、請求項４に記載の発明によれば、３５０ミリ用ビール缶と５００ミリ用ビール缶の両方がビール缶の下に差し入れるアタッチメント部材により高さを簡単に揃えることができる。また、アタッチメント部材に備えた高さ調整手段により缶上面をキャップ体に密着（密封）させることができるばかりでなく、ビールサーバー自体の構成を単純化できるなど各種の優れた効果を奏するものである。
【発明を実施するための最良の形態】
【００１４】
次に、本発明の実施の態様を添付図面に基づいて説明する。図１は本願ビールサーバーの側面図、図２は吸い込み端及び流出端をそれぞれ有する２本のチューブを用いた要部斜視図、図３は一の吸い込み端と二股の流出端を有するチューブを用いた要部斜視図、図４は泡変換器に接したチューブの拡大断面図である。
【００１５】
本願ビールサーバー１は、図１の如く、胴部２の表側（図において右側）Ａの下部に台盤３、該台盤３の上方に頭部筐体４が対向して設けられている。該頭部筐体４は、前記胴部２の裏側（図において左側）Ｂの下部に設けたグラス置台５の上方にも延長されて広い部屋を形成している。もちろん、前記本願ビールサーバー１の胴部２、台盤３及びグラス置台５の位置を含め、外観形状（デザイン）は図示のものに限らない。
【００１６】
前記台盤３の上面には、アタッチメント部材６を置き、その上面にはビール缶７がセットできるようになっている。該アタッチメント部材６には、摘み片８をよこ溝８′に沿って左又は右に移動させることによりカム体９を回転させ、カム面９′を変化させて出没体１０を上下調整できるようになっている。図示の例では、３５０ミリ用ビール缶を押し上げた状態に調整してセットしているが、５００ミリ用ビール缶をセットするときは高さを低く調整することが必要である。もちろん、前記摘み片８を図示していないが、たて溝に沿って移動させて出没体１０を上下調整できるようにしてもよい。
【００１７】
前記台盤３に対向する頭部筐体４の下面には、アタッチメント部材６を介して必要な高さにセットされたビール缶７の上面を密封させるためのキャップ体１１が下向きに設置されている。該キャップ体１１の内部側には、前記ビール缶７の上面に軽く接する環状パッキング（図示せず）が設けられている。前記頭部筐体４内には、空気ポンプ１２の出力側から延出したホース１３がビール缶７の開口（プルトップ蓋を開けておく）より挿入できるように対設されている。
【００１８】
前記頭部筐体４の内部には、図２、図３の如く、基盤（頭部筐体４の底部と共通でもよい）１４が設けられ、該基盤１４の上面には、前記ビール缶７の開口より挿入できるビール汲み出し用チューブ１５が這うように設置され、前記ビール缶７内に挿入される汲み出し側は、前記キャップ体１１の内面から垂下されている。
【００１９】
前記チューブ１５は、図２の場合、それぞれ汲み出し端１５′と流出端１５″を有する２本チューブ１５ａ、１５ｂに最初からなっている。したがって、前記ビール缶７の開口には、チューブ１５ａ、１５ｂの汲み出し端１５′、１５′が揃って挿入され、前記グラス置台５上に置いたグラス１６に向けてチューブ１５ａ、１５ｂの流出端１５″、１５″が揃って突出することとなる。
【００２０】
また、前記チューブ１５は、図３の場合には、前記ビール缶７内に挿入される汲み出し端１５′は一本であり、その途中の分岐点Ｙから分れて前記基盤１４の上では、２本のチューブ１５ａ、１５ｂになっている。分岐されたそれぞれの流出端１５″、１５″は前記グラス置台５に対向するように頭部筐体４から下向き（グラス１６に正しく注げるように）に突出している。なお、２つの流出端１５″、１５″は、図１では便宜上左右にずれているが、図２、３では横並びになっている。
【００２１】
前記基盤１４の上の一方のチューブ１５ａの流出端１５″の近傍には、該チューブ内を通るビールを泡に変換することのできる泡変換器１７が設けられている。該泡変換器１７としては、例えば、高周波振動発生装置がチューブ１５ａの上面に接して用いられる。すなわち、ビールが流れているチューブ１５ａの上面に外部から高周波振動を与えると、ビールは「泡」に変換することが知られている。この泡への変換現象をより確実に行うために、本願では、図４の如く、ビールが流れるチューブ１５ａの頂部内面（泡変換器１７に対応する部分）に突起１８を設け、泡変換器１７の振動が流れているビールに良く伝わるようにしている。もちろん、前記突起１８は、１個とは限らず、図示していないが内周に複数個あってもよい。
【００２２】
前記頭部筐体４の頂面４′には、中立点を中心にして右方向（矢印ａ方向）及び左方向（矢印ｂ方向）へ可動可能に軸支されたコックレバー１９が突出している。該コックレバー１９の下端には、一体に板状のフレーム２０が設けられている。該フレーム２０の可動端縁には、図２及び図３の如く、チューブ１５ａ又は１５ｂを基板１４との間で押し潰してビールの流れをストップさせるストッパー２０ａ、２０ｂが備えられている。しかして、コックレバー１９が中立点にあるときには、フレーム２０のストッパー２０ａ、２０ｂはチューブ１５ａ又は１５ｂを押し潰ぶさない位置に待機している。
【００２３】
前記コックレバー１９を、その中立点から右方向（矢印ａ方向）へ可動させると、これに連動して前記空気ポンプ１２が作動し、ビール缶７内に空気が注入される。ビール缶７の空気圧が高まると、ビールがチューブ１５ａ、１５ｂを通して汲み出されるが、コックレバー１９のフレーム２０のストッパー２０ａが１つのチューブ１５ａを潰しているのでビールはこの潰れた位置でストップしている。一方、ストッパー２０ｂで浮いている（潰されていない）チューブ１５ｂは開放されているから１つの流出端１５″よりビールがグラス１６に注がれることとなる。しかして、例えば、グラス１６にビールが目視によりほぼ８０％程度注がれた時点で、前記コックレバー１９を中立点に戻す。同時に、前記空気ポンプ１２も作動を停止するようになっている。
【００２４】
前記コックレバー１９を、今度は中立点から左方向（矢印ｂ方向）へ可動すると、前記空気ポンプ１２が再び作動し、その空気圧によりビール缶７からチューブ１５ａ、１５ｂへ向けてビールが汲み出される。このとき、ストッパー２０ｂでチューブ１５ｂが潰される反面、ストッパー２０ａがチューブ１５ａを開放し、このタイミングで泡変換器１７が作動し、該チューブ１５ａを流れるビールが泡に変換され、他の１つの流出端１５″より押し出され、グラス１６に注がれる。これによりビールの上に泡が形成されることとなる。しかして、該グラス１６のビールの上に充分な泡が注がれた時点で前記コックレバー１９を中立点に戻すと、前記空気ポンプ１２もその作動を停止するようになっている。
【００２５】
次に、本願ビールサーバー１の作用について説明する。まず、プルトップ蓋を開けて開口した後、台盤３上に置いたアタッチメント部材６に備えた出没体１０の上面（ビール缶を安定して設置できる窪みになっている）にビール缶７をセットする。また、グラス置台５上にグラス１６を置く。しかる後、前記アタッチメント部材６の摘み片７をよこ溝８に沿って移動させつつカム体９により出没体１０とともにビール缶７の上面が、台盤３の上方の頭部筐体４の下側にあるキャップ体１１内の環状パッキング（図示せず）に触れさせるように上昇させる。その前に、キャップ体１１内から垂下されているビール汲み出し用チューブ１５の汲み取り端１５′を（２本あるときは２本共）、開口を通してビール缶７内に挿入する。
【００２６】
その後、頭部筐体４の頂面４′に設けたコックレバー１９を、その中立点から右方向（矢印ａ方向）へ倒す。これにより空気ポンプ１２が作動し、その出力側から延出したホース１３を通して空気がビール缶７内に注入される。しかして、その空気圧によりビール缶７からチューブ１５ａ、１５ｂへ向けてビールが汲み出されるが、前記コックレバー１９の倒れによりその下端に一体に設けられているフレーム２０が傾き、ストッパー２０ａがチューブ１５ａを潰してビールの流れを止める一方、該ストッパー２０ｂがチューブ１５ｂを開放するから、チューブ１５ｂの１つの流出端１５″よりビールがグラス１６に注がれることとなる。
【００２７】
前記グラス１６にビールが目視によりほぼ８０％程度注がれた時点で前記コックレバー１９を中立点に戻すと、前記空気ポンプ１２の作動も停止する。今度は、前記コックレバー１９を中立点から左方向（矢印ｂ方向）へ倒すと、前記空気ポンプ１２が再び作動し、その空気圧によりビール缶７からチューブ１５ａ、１５ｂへ向けてビールを再び汲み出されるが、ストッパー２０ｂによりチューブ１５ｂが潰されてビールの流れを止めるとともに、開放されているチューブ１５ａを流れるビールが泡変換器１７の作用で泡に変換されて他の１つの流出端１５″よりグラス１６のビール上に注がれる。しかる後、前記コックレバー１９を中立点に戻して空気ポンプ１２を停止させる。
【００２８】
このように、本願ビールサーバー１は、ビール缶の上面の開口から挿入されたビール抜き取り用チューブが最初から２本である場合と、ビール缶の開口への挿入は１本でその途中から分岐されて２本になっている場合とを区別することなく、ビール及び泡を出す口が２つになっているので、家庭用でありながらプロ仕様の雰囲気が演出できることとなる。しかも、３５０ミリ用ビール缶と５００ミリ用ビール缶の両方がビール缶の下に差し入れたアタッチメント部材により高さが簡単に揃えられるので、ビールサーバー自体の構成を単純化できるものである。
【産業上の利用可能性】
【００２９】
本願ビールサーバーは、家庭用に開発されたものであるが、ビールメーカーは勿論、家電メーカーその他においても広く利用可能性があるものである。
【図面の簡単な説明】
【００３０】
【図１】本願ビールサーバーの側面図である。
【図２】吸い込み端及び流出端をそれぞれ有する２本のチューブを用いた要部斜視図である。
【図３】一の吸い込み端と二股の流出端を有するチューブを用いた要部斜視図である。
【図４】泡変換器に接したチューブの拡大断面図である。
【図５】従来のビールサーバーの断面図である。
【符号の説明】
【００３１】
１  本願ビールサーバー
２  胴部
３  台盤
４  頭部筐体
４′  頂面
５  グラス置台
６  アタッチメント部材
７  ビール缶
８  摘み片
８′  よこ溝
９  カム体
９′  カム面
１０  出没体
１１  キャップ体
１２  空気ポンプ
１３  ホース
１４  基盤
１５  ビール汲み出し用チューブ
１５′  汲み出し端
１５″  流出端
１５ａ、１５ｂ  ２本のチューブ
１６  グラス
１７  泡変換器
１８  突起
１９  コックレバー
２０  フレーム
２０ａ、２０ｂ  ストッパー
【図１】
2015113166.tif 000003
【図２】
2015113166.tif 000004
【図３】
2015113166.tif 000005
【図４】
2015113166.tif 000006
【図５】
2015113166.tif 000007